(57)【要約】 【課題】  毛髪を含むドナーが内部に詰まることなく、スムーズにドナーの吸引を行うことができる毛髪移植用具のためのニードルを提供することを目的とする。【解決手段】  ニードル２２の円筒形の切込口２１は、先端部から基端部へとテーパ状に拡開する尖鋭状部２７が備えられる。さらに該尖鋭状部２７における最先端部に管内壁側から管外壁側方向へ尖鋭状部と逆方向に最先端部に向けて拡開する逆テーパ部２８が備えられる。また管内径は、先端に対し、基端部がＤ１からＤ２へと大径になるよう設定される。【選択図】  図３
2010104571.tif 000002
【特許請求の範囲】
【請求項１】
患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺され、先端に円筒形の切込口を備える全体管状からなるニードルと、ニードルの切込口が対応する皮膚領域に穿刺された状態において該ニードルを軸回りに回転可能とし、ドナー領域の皮膚を切込口により穿開可能とする回転駆動手段と、回転駆動手段によるニードルの軸回りの回転により穿開されて、切込口内に留置されるドナー領域の皮膚を、吸引エアにより切込口からニードルの内部にドナーとして吸引し、さらにニードルから該ニードルに接続されるドナー貯留部へと吸引されたドナーを搬送可能とする吸引手段と、を備えてなる毛髪移植用具のためのニードルにおいて、前記円筒形の切込口は先端部から基端部へとテーパ状に拡開する尖鋭状部を備えることとし、さらに該尖鋭状部における最先端部に管内壁側から管外壁側方向へ尖鋭状部と逆方向に最先端部に向けて拡開する逆テーパー部を備えることを特徴とする毛髪移植用具のためのニードル。
【請求項２】
患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺され、先端に円筒形の切込口を備える全体管状からなるニードルと、ニードルの切込口が対応する皮膚領域に穿刺された状態において該ニードルを軸回りに回転可能とし、ドナー領域の皮膚を切込口により穿開可能とする回転駆動手段と、回転駆動手段によるニードルの軸回りの回転により穿開されて、切込口内に留置されるドナー領域の皮膚を、吸引エアにより切込口からニードルの内部にドナーとして吸引し、さらにニードルから該ニードルに接続されるドナー貯留部へと吸引されたドナーを搬送可能とする吸引手段と、を備えてなる毛髪移植用具のためのニードルにおいて、前記円筒形の切込口は先端部から基端部へとテーパ状に拡開する尖鋭状部を備えることとし、さらに該尖鋭状部における最先端部に管内壁側から管外壁側方向へ尖鋭状部と逆方向に最先端部に向けて拡開する逆テーパー部を備えることとし、さらに尖鋭状部が形成される先端側の一定長さ領域に対し、基端側全体の長さ領域の管内径を大径に設定することを特徴とする毛髪移植用具のためのニードル。
【請求項３】
先端部から基端部へとテーパー状に拡開する尖鋭状部は、先端部を基端とする軸線方向の長さＬ１を０．３mmないし１．２mmの範囲として形成した請求項１または２に記載の毛髪移植用具のためのニードル。
【請求項４】
管内壁側から管外壁側方向へ尖鋭状部と逆方向に最先端部に向けて拡開する逆テーパー部は、最先端部を基端とする軸線方向の長さＬ２を１０ないし３０μmの範囲として形成した請求項１または２に記載の毛髪移植用具のためのニードル。
【請求項５】
尖鋭状部が形成される先端側の一定長さ領域の先端部を基端とする軸線方向の長さを１０mmないし１５mmとし、かつその部分の内径をφ０．８mmないし１．２mmとし、一方上記先端側の長さ領域を軸線方向において１２０mmないし１４０mmとし、かつその部分の内径をφ１．２mmないし１．４mmとしたことを特徴とする請求項２に記載の毛髪移植用具のためのニードル。
【発明の詳細な説明】
【技術分野】
【０００１】
本発明は、患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、毛髪付きの皮膚をドナーとして採取し、吸引する毛髪移植用具のためのニードルに関する。
【背景技術】
【０００２】
近年、かつらや人工毛植毛法に代わる薄毛に対する処置として、自毛植毛法が注目されている。自毛植毛法とは後頭部や側頭部など患者の毛髪のうち、比較的生命力の強い毛髪の毛根およびその周部領域を含む皮膚をドナーとして採取し、該ドナーを同じ患者の頭皮のうち毛髪の少ない領域や毛髪のない領域に移植する施術法に係る。自毛植毛は、かつらや人工毛植毛と異なり、患者自身の毛髪を脱毛部に移植して再生するものであることから、移植先での毛髪の生着率が高く、いわゆる拒否反応がほとんど見られないという利点がある。
【０００３】
出願人は、こうした自毛植毛を行うための毛髪移植用具として、下記特許文献１に示す器具の開発を行った。
【特許文献１】特開２００７−２２９３３０号公報
【０００４】
この文献に示される毛髪移植用具は患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、この中で図５に示す移植用具１は、ドナーとして採取する毛髪２を中心として、その周部の皮膚に穿刺され、その部分の皮膚を穿開して吸引し、採取するためのものである。
【０００５】
すなわち、この毛髪移植用具１は、先端の内部にドナーとして採取する毛髪２を中心として、その周部の穿刺され、先端に円筒形の切込口３を備える全体管状のニードル４を備える。ニードル４は図７に示すように全体長尺状からなる直管状のものとされ、移植用具１の内部に交換可能に取付可能とされる。
【０００６】
移植用具１には、先端の内部に取り付けられるニードル４の切込口３が対応する皮膚領域に穿刺された状態において、該ニードル４を軸回り（図５、図６のＡ方向）に回転可能とし、ドナー領域の皮膚を切込口３により穿開可能とする回転駆動手段としてのモータ５が備えられる。さらに移植用具１には、モータ５によるニードル４の軸回りの回転により穿開されて、切込口３内に留置されるドナー領域の皮膚を、吸引エアにより切込口３からニードル４の内部にドナーとして吸引し、さらにニードル４から該ニードル４に管路６を介して接続されるチューブ７により、採取容器８（ドナー貯留部）へと矢印Ｃ方向に搬送するための吸引手段としてのポンプ（不図示）が備えられる。
【０００７】
すなわち、移植用具１によるドナーの採取は、モータ５を作動させてニードル４を軸回りに矢印Ａ方向に回転させ、ニードル４の切込口３を数mm程度頭皮に対し法線方向（矢印Ｂ方向）に穿刺し、毛根を含むドナー９を切込口３内に保持させる。この状態で吸引手段としてのポンプの作動により、切込口３内の皮膚を矢印Ｃ方向に吸引し、ニードル４の内部に吸引する。
【０００８】
ニードル４内に吸引されたドナー９は、管路６を介してチューブ７へと搬送され、さらに採取容器８へと搬送されて貯留される。採取容器８内にある程度の量のドナー９が捕集された状態において図８に示す容器８を開け、容器８内のネット１０に捕集されたドナー９を採取して移植先の頭皮に移植するようにしていた。
【発明の開示】
【発明が解決しようとする課題】
【０００９】
ところで、移植用具１に交換可能に取り付けられるニードル４は、図６に示すように先端側からモータ５を貫挿する状態で矢印Ｃ方向に挿入して接続され、このためニードル４には図７に示すようにモーター５の軸（内挿軸）に取付けるための支持体１１Ａ、１１Ｂが外装されている。ニードル４は、図７に示すように直管状のものとされるため、先端７で毛髪２を含む皮膚に穿刺される状態において出血量が多くドナー９をニードル４内に吸引する際、血液がドナー９とともに吸引されてしまい、吸引された血液が内径φ１．０〜１．４mm程度の範囲で形成されるニードル４の内壁に付着し易くなる不具合が発生していた。こうした不具合が発生すると、吸引されたドナー９が血液の付着されたニードル４の内壁部分に付着し、さらに該部分に吸引されたドナー９が塊状に詰まる不具合が発生していた。こうしたドナー９が詰まる部分は、ニードル４の基端側に多く発生するものとされていた。
【００１０】
こうした不具合を解消するため、本願の発明者は、ニードル内の詰まりを少なくするため、ニードルの先端の円筒形切込口の形状を、先端部から基端部へとテーパ状に拡開する尖鋭状のものとし、ニードルを毛髪２を中心とする皮膚に穿刺し、穿開する際の出血量を極力少量にする等の方法を試みる実験を行った。しかしながら、こうした先端を先鋭状の切込口としてニードルを形成した場合、確かに最初のうちは切込口を皮膚に穿刺し、穿開した際の出血量は少なくなるものの、先端が先鋭状とされる切込口が挫滅し易くなり、先端の先鋭部が内周方向に変形する不具合が多く発生した。すなわち、切込口にこうした変形が発生すると皮膚に穿刺し、穿開する際の出血量が多くなり、ニードルを交換する頻度は以前の直管状のニードル４に比して、大きく改善されなかった。
【００１１】
本願の発明者はさらにこうした先端に尖鋭状部を形成するのに加え、様々な加工を加えた結果、内部にドナーが詰まることなく、スムーズにドナーの吸引を行うことができる毛髪移植用具のためのニードルを開発することができた。
【００１２】
すなわち、本発明は、毛髪を含むドナーが内部に詰まることなく、スムーズにドナーの吸引を行うことができる毛髪移植用具のためのニードルを提供することを目的としている。  
【課題を解決するための手段】
【００１３】
上記目的を達成するため、本発明の請求項１は、患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺され、先端に円筒形の切込口を備える全体管状からなるニードルと、ニードルの切込口が対応する皮膚領域に穿刺された状態において該ニードルを軸回りに回転可能とし、ドナー領域の皮膚を切込口により穿開可能とする回転駆動手段と、回転駆動手段によるニードルの軸回りの回転により穿開されて、切込口内に留置されるドナー領域の皮膚を、吸引エアにより切込口からニードルの内部にドナーとして吸引し、さらにニードルから該ニードルに接続されるドナー貯留部へと吸引されたドナーを搬送可能とする吸引手段と、を備えてなる毛髪移植用具のためのニードルにおいて、前記円筒形の切込口は先端部から基端部へとテーパ状に拡開する尖鋭状部を備えることとし、さらに該尖鋭状部における最先端部に管内壁側から管外壁側方向へ尖鋭状部と逆方向に最先端部に向けて拡開する逆テーパー部を備えることとしている。
【００１４】
また、本発明の請求公２は、上記目的を達成するため、患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、ドナーとして採取する毛髪を中心として、その周部の皮膚に穿刺され、先端に円筒形の切込口を備える全体管状からなるニードルと、ニードルの切込口が対応する皮膚領域に穿刺された状態において該ニードルを軸回りに回転可能とし、ドナー領域の皮膚を切込口により穿開可能とする回転駆動手段と、回転駆動手段によるニードルの軸回りの回転により穿開されて、切込口内に留置されるドナー領域の皮膚を、吸引エアにより切込口からニードルの内部にドナーとして吸引し、さらにニードルから該ニードルに接続されるドナー貯留部へと吸引されたドナーを搬送可能とする吸引手段と、を備えてなる毛髪移植用具のためのニードルにおいて、前記円筒形の切込口は先端部から基端部へとテーパ状に拡開する尖鋭状部を備えることとし、さらに該尖鋭状部における最先端部に管内壁側から管外壁側方向へ尖鋭状部と逆方向に最先端部に向けて拡開する逆テーパー部を備えることとし、さらに尖鋭状部が形成される先端側の一定長さ領域に対し、基端側全体の長さ領域の管内径を大径に設定することとしている。  
【００１５】
また請求項３に記載の発明は、先端部から基端部へとテーパー状に拡開する尖鋭状部は、先端部を基端とする軸線方向の長さＬ１を０．３mmないし１．２mmの範囲として形成した請求項１または２に記載の毛髪移植用具のためのニードルとしている。
【００１６】
また、請求項４に記載の発明は、管内壁側から管外壁側方向へ尖鋭状部と逆方向に最先端部に向けて拡開する逆テーパー部は、最先端部を基端とする軸線方向の長さＬ２を１０ないし３０μmの範囲として形成した請求項１または２に記載の毛髪移植用具のためのニードルとしている。
【００１７】
さらに請求項５に記載の発明は、尖鋭状部が形成される先端側の一定長さ領域の先端部を基端とする軸線方向の長さを１０mmないし１５mmとし、かつその部分の内径をφ０．８mmないし１．２mmとし、一方上記先端側の長さ領域を軸線方向において１２０mmないし１４０mmとし、かつその部分の内径をφ１．２mmないし１．４mmとしたことを特徴とする請求項２に記載の毛髪移植用具のためのニードルとしている。
【発明の効果】
【００１８】
請求項１に記載の発明によれば、円筒形の切込口に、先端部から基端部へとテーパ状に拡開する尖鋭状部を備えることとし、さらに該尖鋭状部における最先端部に管内壁側から管外壁側方向へ尖鋭状部と逆方向に最先端部に向けて拡開する逆テーパー部を備えることとしたため、先端の尖鋭状部において挫滅による変形が少なく、出血量が少なく交換頻度の少ないニードルの提供が可能となる。この結果、毛髪を含むドナーが内部に詰まることなく、スムーズにドナーの吸引を行うことができる毛髪移植用具のためのニードルを提供することが可能となる。
【００１９】
また、請求項２に記載の発明によれば、円筒形の切込口に先端部から基端部へとテーパ状に拡開する尖鋭状部を備えることとし、さらに該尖鋭状部における最先端部に管内壁側から管外壁側方向へ尖鋭状部と逆方向に最先端部に向けて拡開する逆テーパー部を備えることとし、さらに該尖鋭状部における最先端部に管内壁側から管外壁側方向へ尖鋭状部と逆方向に最先端部に向けて拡開する逆テーパー部を備えることとし、さらに尖鋭状部が形成される先端側の一定長さ領域に対し、基端側全体の長さ領域の管内径を大径に設定することとしたため、先端の尖鋭状部において挫滅による変形が少なく、出血量が少なく交換頻度の少ないニードルの提供が可能となる。この結果、毛髪を含むドナーが内部に詰まることなく、スムーズにドナーの吸引を行うことができる毛髪移植用具のためのニードルを提供することが可能となる。また、ニードル内の基端部側において詰まりが発生する頻度も少なくなる。この結果毛髪を含むドナーが内部に詰まることなく、スムーズにドナーの吸引を行うことができる毛髪移植用具のためのニードルを提供することが可能となる。
【００２０】
また請求項３に記載の発明によれば、先端部から基端部へとテーパー状に拡開する尖鋭状部は、先端部を基端とする軸線方向の長さＬ１を０．３mmないし１．２mmの範囲として形成した請求項１または２に記載の毛髪移植用具のためのニードルとしたため毛髪を含むドナーが内部に詰まることなく、スムーズにドナーの吸引を行うことができる毛髪移植用具のためのニードルを提供することが可能となる。
【００２１】
また請求項４に記載の発明によれば、管内壁側から管外壁側方向へ尖鋭状部と逆方向に最先端部に向けて拡開する逆テーパー部は、最先端部を基端とする軸線方向の長さＬ２を１０ないし３０μmの範囲として形成した請求項１または２に記載の毛髪移植用具のためのニードルとしたため、毛髪を含むドナーが内部に詰まることなく、スムーズにドナーの吸引を行うことができる毛髪移植用具のためのニードルを提供することが可能となる。
【００２２】
さらに請求項５に記載の発明によれば、尖鋭状部が形成される先端側の一定長さ領域の先端部を基端とする軸線方向の長さを１０mmないし１５mmとし、かつその部分の内径をφ０．８mmないし１．２mmとし、一方上記先端側の長さ領域を軸線方向において１２０mmないし１４０mmとし、かつその部分の内径をφ１．２mmないし１．４mmとしたことを特徴とする請求項２に記載の毛髪移植用具のためのニードルとしたため、毛髪を含むドナーが内部に詰まることなく、スムーズにドナーの吸引を行うことができる毛髪移植用具のためのニードルを提供することが可能となる。
【発明を実施するための最良の形態】
【００２３】
以下、本発明を実施するための最良の形態を図面に基づいて説明する。先ず図２に示す毛髪移植用具２０は患者の頭皮のうち、毛髪がない領域あるいは毛髪が少ない領域に対し、その患者の他の領域にある比較的生命力の強い毛髪の毛根およびその周部領域を含む皮膚をドナーとして採取して移植する際に使用され、ドナーとして採取する毛髪２を中心として、その周部の皮膚に穿刺され、その部分の皮膚を穿開して吸引し、採取するためのものである。
【００２４】
この毛髪移植用具２０は、先端の内部にドナーとして採取する毛髪２を中心として、その周部の穿刺され、先端に円筒形の切込口２１を備える全体管状のニードル２２を備える。ニードル２２は図１に示すように全体長尺状からなる管状のものとされ、移植用具２０の内部に交換可能に取付可能とされる。
【００２５】
移植用具２０には、先端の内部に取り付けられるニードル２２の切込口２１が対応する皮膚領域に穿刺された状態において、該ニードル２２を軸回り（図２のＡ方向）に回転可能とし、ドナー領域の皮膚を切込口２１により穿開可能とする回転駆動手段としてのモータ２３が備えられる。さらに移植用具２０には、モータ２３によるニードル２２の軸回りの回転により穿開されて、切込口２１内に留置されるドナー領域の皮膚を、吸引エアにより切込口２１からニードル２２の内部にドナーとして吸引し、さらにニードル２２から該ニードル２２に管路２４を介して接続されるチューブ２５により、ドナー貯留部としての採取容器（不図示）へと矢印Ｃ方向に搬送するための吸引手段としてのポンプ（不図示）が備えられる。
【００２６】
すなわち移植用具２０によるドナーの採取は、モーター２３を作動させてニードル２２を軸回りに矢印Ａ方向に回転させ、ニードル２２の切込口２１を数mm程度頭皮に対し法線方向（矢印Ｂ方向）に穿刺し、毛根を含むドナー９を切込口２１内に保持させる。この状態で吸引手段としてのポンプの作動により、切込口２１内の皮膚を矢印Ｃ方向に吸引し、ニードル２２の内部に吸引する。
【００２７】
ニードル２２内に吸引されたドナー９は、管路２４を介してチューブ２５へと搬送され、さらに採取容器（不図示）へと搬送されて貯留される。採取容器内にある程度の量のドナー９が捕集された状態において該容器を開け、容器内のネットに捕集されたドナー９を採取して移植先の頭皮に移植するようにする。
【００２８】
移植用具２０に交換可能に取付けられるニードル２２は、図２に示すように先端側からモータ２３を貫挿する状態で矢印Ｃ方向に挿入して接続され、このためニードル２２には図１に示すようにモータ２３の軸に取付けるための支持体２６Ａ、２６Ｂが外装されている。ニードル２２は、先端の円筒形の切込口２１が形成される部分において、先端部から基端部へ角度θ１をもってテーパ状に拡開する尖鋭状部２７を備えてなる（図３参照）。
【００２９】
拡開する尖鋭状部２７のテーパ角度θ１は、１０〜２０度程度とされ、また尖鋭状部２７のニードル２２の先端部を基端とする軸線方向での長さＬ１（図４参照）は、０．３mmから１．２mm程度の範囲のものとされる。尖鋭状部２７の形成は、中空針材の先端の外側をグラインダで研磨したり、溶解して行われる。
【００３０】
ニードル２２は、この尖鋭状部２７が形成される先端側の長さ領域Ｌ３に対し、基端側の長さ領域Ｌ４の外径が大きくなるように設定して形成される。すなわち、ニードル２２は、直管状の中空針材の先端側を絞り加工し、尖鋭状部２７が形成される先端側の長さ領域Ｌ３においてその管内径Ｄ１を小さくし、基端側の長さ領域においてその管内径Ｄ２が大径になるよう設定して加工形成される。
【００３１】
すなわちニードル２２は、先端側の軸線方向での長さ領域Ｌ３を１０mmないし１５mm程度とし、その部分の管内径Ｄ１をφ０．８mm〜φ１．２mm程度になるよう形成している。一方先端側の長さ領域Ｌ３に対する基端側の軸線方向での長さ領域Ｌ４を１２０mmないし１４０mmとし、その部分の管内径をφ１．２mm〜φ１．４mm程度になるよう形成している。
【００３２】
さらに尖鋭状部２７が形成される切込口２１の最先端部には、管内壁側から管外壁側から管外壁側方向へ前記尖鋭状部２７と逆方向に最先端部に向けて角度θ２において拡開する逆テーパ部２８が形成される（図４の拡大部分参照）。逆テーパ部２８の拡開角度θ２は１０〜２０度程度とされ、また逆テーパ部２８のニードル２２の先端部の基端とする軸線方向での長さＬ２（図４の拡大部分参照）は、１０〜３０μmの範囲で形成される。逆テーパ部２８の形成は図３に示すようにニードル２２の先端の切込口２１に斜歯状のグラインダ３０を挿入し、研磨することにより形成される。
【００３３】
こうして形成されるニードル２２によると、先ず先端部から基端部へとテーパ状に拡開する尖鋭状部２７を備えることとし、さらに該尖鋭状部２７における最先端部に管内壁側から管外壁側方向へ尖鋭状部２７と逆方向に最先端部に向けて拡開する逆テーパ部２８を備えることとしたため、長い期間使用した場合においても切込口２１における挫滅変形の発生が少なく、交換頻度を少なくすることが可能となる。  
【００３４】
また先端が尖鋭状とされるため、皮膚に穿刺し、穿開した場合における出血量が少なくなり、また速やかなドナー９の吸引が可能となるため、従来のように血液を吸引することにより発生していたドナー９のニードル内での詰まりを抑制することが可能となる。特に、本願の発明者が様々なサイズのニードルを形成する試行錯誤を繰り返す中、上記実施形態に示すように尖鋭状部２７の長さＬ１を０．３mm〜１．２mmとし、テーパ角度θ１を１０〜２０度とするのが最も良好に詰まりを抑制することが可能となった。
【００３５】
また逆テーパ部２８の軸線方向での長さＬ２に関しても１０〜３０μmとし、かつテーパ角度θ２についても１０〜２０度程度とするのが最も良好に詰まりを抑制することが可能となった。
【００３６】
さらに実施形態に係るニードル２２によると、先端部から基端部へとテーパ状に拡開する尖鋭状部２７を備えることとし、さらに該尖鋭状部２７における最先端部に管内壁側から管外壁側方向へ尖鋭状部２７と逆方向に最先端部に向けて拡開する逆テーパ部２８を備えることに加えて、さらに尖鋭状部２７が形成される先端側の長さ領域Ｌ３に対し、基端側全体の長さ領域Ｌ４の管内径をＤ１からＤ２と大径になるよう設定し、形成したため、ニードル２２の基端部において吸引したドナー９が詰まることもない。こうした現象は、恐らくニードル２２が先端から基端部に向けて拡開することにより、ニードル２２内で乱流が発生し、しかも基端部が大径となるのでドナー９の血液が付着する割合が少なくなることに起因することによるものと推測される。
【００３７】
以上の実施形態によれば、毛髪を含むドナーが内部に詰まることなく、スムーズにドナーの吸引を行うことができる毛髪移植用具のためのニードルを提供することが可能となる。
【産業上の利用可能性】
【００３８】
本発明は、毛髪移植手術において、ドナーとしての毛髪を採取する作業を円滑かつ短時間に行うことができ、その分毛髪の生着率の向上が図られることになる。よって自毛による頭髪の再生手術の信頼性を高めることが可能となる。
【図面の簡単な説明】
【００３９】
【図１】本発明の実施形態に係るニードルを示す縦断面図である。
【図２】ニードルを取付けてなる毛髪移植用具の断面図である。
【図３】ニードル先端の尖鋭状部を示す縦断面図である。
【図４】尖鋭状部のさらに先端を示す拡大断面図である。
【図５】出願人の製造に係る従来の毛髪移植用具により、ドナーを採取する状態を示す断面図である。
【図６】図５に示す毛髪移植用具に取付られるニードルの縦断面図である。
【図７】ニードルが装着された毛髪移植用具の縦断面図である。
【図８】採取容器の縦断面図である。
【図９】採取容器から取り出し、ドナーを捕集したネットを示す斜視図である。
【符号の説明】
【００４０】
１，２０    移植用具
２          毛髪
３，２１    切込口
４，２２    ニードル
５，２３    モータ（回転駆動手段）
６，２４    管路
７，２５    チューブ        
８          採取容器
９          ドナー
１０        ネット
１１Ａ，１１Ｂ，２６Ａ，２６Ｂ    支持体
２７        尖鋭状部
２８        逆テーパ部
３０        グラインダ
【図１】
2010104571.tif 000003
【図２】
2010104571.tif 000004
【図３】
2010104571.tif 000005
【図４】
2010104571.tif 000006
【図５】
2010104571.tif 000007
【図６】
2010104571.tif 000008
【図７】
2010104571.tif 000009
【図８】
2010104571.tif 000010
【図９】
2010104571.tif 000011